(57)【要約】  モジュール電池の温度を目標温度に近づけながら複数のヒータの各々の消費電力を複数のヒータにわたって合計した合計消費電力を安定させる。相対的に低頻度で繰り返し到来する複数の第１の更新機会の各々に、複数の温度の制御の単位の各々について、温度を目標温度にするためにヒータに供給する必要がある必要電力が更新される。必要電力は、次に到来する第１の更新機会まで一定に維持される。相対的に高頻度で繰り返し到来する複数の第２の更新機会の各々に、合計必要電力と合計消費電力との電力差が基準内になるように選択されたヒータが更新される。選択されたヒータは、次に到来する第２の更新機会まで一定に維持される。選択されたヒータは、オンにすることを許可されるヒータ又はオンにされるヒータである。
2016021270.tif 000002
【特許請求の範囲】
【請求項１】
複数の温度の制御の単位の各々が温度センサ及びヒータを備えることにより前記複数の温度の制御の単位が複数の温度センサ及び複数のヒータを備える場合にモジュール電池の温度を制御する制御装置であって、
前記複数の温度の制御の単位の各々について、前記温度センサの検出結果から現在の温度を取得し、温度を目標温度にするために前記ヒータをオンにすべきか又はオフにすべきかを前記現在の温度及び温度プロファイルに基づいて判断し、前記ヒータをオンにすべきと判断し前記ヒータが選択された場合に前記ヒータをオンにし、前記ヒータをオンにすべきと判断したが前記ヒータが選択されなかった場合に又は前記ヒータをオフにすべきと判断した場合に前記ヒータをオフにする温度調節器と、
相対的に低頻度で繰り返し到来する複数の第１の更新機会の各々に前記複数の温度の制御の単位の各々について温度を前記目標温度にするために前記ヒータに供給する必要がある必要電力を前記現在の温度及び前記目標温度に基づいて更新し、次に到来する第１の更新機会まで前記必要電力を一定に維持し、前記必要電力を前記複数のヒータにわたって合計した電力を合計必要電力とし、前記複数のヒータの各々の消費電力を前記複数のヒータにわたって合計した電力を合計消費電力とした場合に、相対的に高頻度で繰り返し到来する複数の第２の更新機会の各々に前記合計必要電力と前記合計消費電力との電力差が基準内になるように前記複数のヒータから選択されたヒータを更新し、次に到来する第２の更新機会まで前記複数のヒータから選択されたヒータを一定に維持する制御機構と、
を備えるモジュール電池の温度を制御する制御装置。
【請求項２】
前記制御機構は、前記複数のヒータから選択されたヒータを更新する場合に、前記温度調節器がオンにすべきと判断したが前記制御機構が選択しなかった時間が長い順に又は前記温度調節器がオンにすべきと判断したが前記制御機構が選択しなかった回数が多い順にヒータを選択する
請求項１の制御装置。
【請求項３】
前記温度調節器は、前記複数の温度の制御の単位の各々について、現在の目標温度から前記現在の温度を減じた温度差が制限温度差未満である場合に許可取得モードとなり、前記現在の目標温度から前記現在の温度を減じた温度差が前記制限温度差以上である場合に自律モードとなり、前記許可取得モードとなった場合は、前記ヒータをオンにすべきと判断し前記ヒータが選択された場合に前記ヒータをオンにし、前記ヒータをオンにすべきと判断したが前記ヒータが選択されなかった場合又は前記ヒータをオフにすべきと判断した場合に前記ヒータをオフにし、前記自律モードとなった場合は、前記ヒータをオンにすべきと判断した場合に前記ヒータをオンにし、前記ヒータをオフにすべきと判断した場合に前記ヒータをオフにする
請求項１又は２の制御装置。
【請求項４】
前記温度調節器は、
前記自律モードになったことを報知する
請求項３の制御装置。
【請求項５】
１個のモジュール電池が一群の温度の制御の単位を備え、
前記一群の温度の制御の単位の各々に前記温度調節器が対応し、
前記温度調節器は、対応する温度の制御の単位について、前記温度センサから前記現在の温度を取得し、前記目標温度を得る
請求項１から４までのいずれかの制御装置。
【請求項６】
前記複数の温度の制御の単位の各々は、一群の測定点の各々に対応する個々の温度センサ及び個々のヒータを備えることにより一群の温度センサ及び一群のヒータを備え、
前記温度調節器は、前記複数の温度の制御の単位の各々について、前記個々の温度センサの検出結果から個々の現在の温度を取得することにより一群の現在の温度を取得し、前記一群の現在の温度を平均することにより前記現在の温度を取得し、前記一群の測定点の各々に対応する個々の目標温度を得ることにより一群の目標温度を得、前記一群の目標温度を平均することにより前記目標温度を得る
請求項１から４までのいずれかの制御装置。
【請求項７】
複数の温度の制御の単位の各々が温度センサ及びヒータを備えることにより前記複数の温度の制御の単位が複数の温度センサ及び複数のヒータを備える場合にモジュール電池の温度を制御する制御装置であって、
前記複数の温度の制御の単位の各々について、前記温度センサの検出結果から現在の温度を取得する温度測定機構と、
前記複数の温度の制御の単位の各々について、前記ヒータが選択された場合に前記ヒータをオンにし、前記ヒータが選択されなかった場合に前記ヒータをオフにするヒータ制御機構と、
相対的に低頻度で繰り返し到来する複数の第１の更新機会の各々に前記複数の温度の制御の単位の各々について温度を目標温度にするために前記ヒータに供給する必要がある必要電力を前記現在の温度及び前記目標温度に基づいて更新し、次に到来する第１の更新機会まで前記必要電力を一定に維持し、前記必要電力を前記複数のヒータにわたって合計した電力を合計必要電力とし、前記複数のヒータの各々の消費電力を前記複数のヒータにわたって合計した電力を合計消費電力とした場合に、相対的に高頻度で繰り返し到来する複数の第２の更新機会の各々に前記合計必要電力と前記合計消費電力との電力差が基準内になるように前記複数のヒータから選択されたヒータを更新し、次に到来する第２の更新機会まで前記複数のヒータから選択されたヒータを一定に維持する制御機構と、
を備えるモジュール電池の温度を制御する制御装置。
【請求項８】
１個のモジュール電池が一群の温度の制御の単位を備え、
前記一群の温度の制御の単位の各々に前記温度測定機構が対応し、
前記温度測定機構は、対応する温度の制御の単位について前記温度センサから前記現在の温度を取得し、
前記制御機構は、前記一群の温度の制御の単位の各々について前記目標温度を得る
請求項７の制御装置。
【請求項９】
前記複数の温度の制御の単位の各々は、一群の測定点の各々に対応する個々の温度センサ及び個々のヒータを備えることにより一群の温度センサ及び一群のヒータを備え、
前記温度測定機構は、前記個々の温度センサの検出結果から個々の現在の温度を取得することにより一群の現在の温度を取得し、前記一群の現在の温度を平均することにより前記現在の温度を取得し、
前記制御機構は、前記一群の測定点の各々に対応する個々の目標温度を得ることにより一群の目標温度を得、前記一群の目標温度を平均することにより前記目標温度を得る
請求項７の制御装置。
【請求項１０】
前記制御機構は、前記複数のヒータから選択されたヒータを更新する場合に、前記現在の温度が現在の目標温度以下である温度の制御の単位が備えるヒータの全部又は一部を選択する
請求項１から９までのいずれかの制御装置。
【請求項１１】
前記制御機構は、前記複数のヒータから選択されたヒータを更新する場合に、温度の制御の単位における現在の目標温度から前記現在の温度を減じた温度差が大きい順にヒータを選択する
請求項１、７、８、９及び１０のいずれかの制御装置。
【請求項１２】
前記合計消費電力を測定する電力測定機構をさらに備え、
前記制御機構は、前記複数のヒータから選択されたヒータを更新する場合に、前記合計必要電力から次に選択するヒータの定格消費電力を減じた電力を前記合計消費電力が初めて超えるまでヒータを順に選択する
請求項１から１１までのいずれかの制御装置。
【請求項１３】
前記制御機構は、前記複数のヒータから選択されたヒータを更新する場合に、前記合計消費電力が前記合計必要電力以下となる範囲内において前記複数のヒータから選択されたヒータの数が最大となるようにヒータを順に選択し、前記複数のヒータから選択されたヒータの各々の定格消費電力を前記複数のヒータから選択されたヒータにわたって合計することにより前記合計消費電力を求める
請求項１から１１までのいずれかの制御装置。
【請求項１４】
前記合計消費電力を測定する電力測定機構をさらに備え、
前記制御機構は、前記複数のヒータから選択されたヒータを更新する場合に、前記合計必要電力に補正値を加えた電力から次に選択するヒータの定格消費電力を減じた電力を前記合計消費電力が初めて超えるまでヒータを順に選択する
請求項１から１１までのいずれかの制御装置。
【請求項１５】
前記制御機構は、前記複数のヒータから選択されたヒータを更新する場合に、前記合計消費電力が前記合計必要電力に補正値を加えた電力以下となる範囲内において前記複数のヒータから選択されたヒータの数が最大となるようにヒータを順に選択し、前記複数のヒータから選択されたヒータの各々の定格消費電力を前記複数のヒータから選択されたヒータにわたって合計することにより前記合計消費電力を求める
請求項１から１１までのいずれかの制御装置。
【請求項１６】
前記補正値は、次に選択するヒータの定格消費電力の１／２である
請求項１４又は１５の制御装置。
【請求項１７】
前記必要電力は、前記複数の温度の制御の単位の各々から放熱される熱を補うのに必要な第１の電力と、前記複数の温度の制御の単位の各々から放熱される熱が存在しない場合に前記複数の温度の制御の単位の各々の温度を前記目標温度にするのに必要な第２の電力と、の和である
請求項１から１６までのいずれかの制御装置。
【請求項１８】
前記温度センサが第１の温度センサであり、
前記複数の温度の制御の単位の周辺温度を検出する第２の温度センサをさらに備え、
前記必要電力は、次に到来する第１の更新機会に前記複数の温度の制御の単位の各々の温度を前記目標温度にするために前記ヒータに供給する必要がある電力であり、
前記第１の電力は、前記現在の温度及び前記目標温度を平均した平均温度から前記周辺温度を減じた温度差と第１の係数との積であり、
前記第２の電力は、前記目標温度から前記現在の温度を減じた温度差と第２の係数との積である
請求項１７の制御装置。
【請求項１９】
前記制御機構は、通常モード又は停電モードとなり、前記通常モードとなった場合は、前記合計消費電力と前記合計必要電力との電力差が基準内となるように前記複数のヒータから選択されたヒータを更新し、前記停電モードとなった場合は、非常用電源から供給を受けることができる電力以下に上限電力を設定し、前記合計消費電力と前記上限電力との電力差が基準内となるように前記複数のヒータから選択されたヒータを更新する
請求項１から１８までのいずれかの制御装置。
【請求項２０】
請求項１から１９までのいずれかの制御装置と、
前記制御機構が故障したことを報知する上位制御装置と、
を備える制御装置の群。
【請求項２１】
請求項３又は４の制御装置と、
前記温度調節器が前記自律モードになったことを報知する上位制御装置と、
を備える制御装置の群。
【請求項２２】
請求項１から１９までのいずれかの制御装置と、
モジュール電池と、
を備える電力貯蔵装置。
【発明の詳細な説明】
【技術分野】
【０００１】
本発明は、モジュール電池の温度の制御に関する。
【背景技術】
【０００２】
ナトリウム−硫黄電池は、高温動作型の二次電池である。このため、ナトリウム−硫黄電池を使用した電力貯蔵装置においては、単電池、ヒータ等を容器の内部に収容したモジュール電池が構成され、モジュール電池の温度が目標温度に近づくようにヒータが制御される。例えば、ナトリウム−硫黄電池を使用した電力貯蔵補償装置において単電池の周囲の温度が３００℃以上３３０℃以下になるようにヒータをＯＮ−ＯＦＦ制御することが特許文献１に記載されている。
【先行技術文献】
【特許文献】
【０００３】
【特許文献１】特開２０１０−８６９６３号公報
【発明の概要】
【発明が解決しようとする課題】
【０００４】
電力貯蔵装置においては、電気的に接続された複数のモジュール電池が同時に放電し同時に充電される。同時に放電し同時に充電される複数のモジュール電池においては、温度が同期して変動し、複数のヒータに供給しなければならない電力が同期して変動する。このため、複数のモジュール電池が同時に放電し同時に充電される電力貯蔵装置においては、複数のヒータの消費電力を複数のヒータにわたって合計した合計消費電力の変動が大きくなる。【０００５】
例えば、モジュール電池の温度が低下した場合にヒータをオンにする時間を長くしモジュール電池の温度が目標温度に近づいた場合にヒータをオンにする時間を短くする制御を行う電力貯蔵装置において、複数のモジュール電池が同時に放電することにより複数のモジュール電池の温度が上昇した後に複数のモジュール電池が同時に充電されることにより又は同時に放電を停止することにより複数のモジュール電池の温度が低下する場合を考える。この場合は、複数のモジュール電池において、温度が低下する時機が同時に到来し、ヒータをオンにする時間が長くなる時機が同時に到来する。このため、合計消費電力が特定の時機に増加する場合がある。【０００６】
合計消費電力の変動が大きい場合は、合計消費電力が最大になった場合にそなえて電力を供給する機構を準備しなければならない。例えば、変圧器、遮断機等を合計消費電力が最大になった場合でも複数のヒータへの電力の供給を継続できるものにしなければならない。これは、電力を供給する機構の肥大化をまねく。【０００７】
この問題は、ナトリウム−硫黄電池以外の高温動作型の二次電池が使用される場合にも生じる。【０００８】
本発明は、この問題を解決するためになされる。本発明の目的は、モジュール電池の温度を目標温度に近づけながら複数のヒータの各々の消費電力を複数のヒータにわたって合計した合計消費電力を安定させることである。
【課題を解決するための手段】
【０００９】
本発明は、モジュール電池の温度を制御する制御装置に向けられる。複数の温度の制御の単位の各々は、温度センサ及びヒータを備える。これにより、複数の温度の制御の単位は、複数の温度センサ及び複数のヒータを備える。【００１０】
本発明の第１の局面によれば、制御装置は、温度調節器及び制御機構を備える。【００１１】
温度調節器は、複数の温度の制御の単位の各々について、温度センサの検出結果から現在の温度を取得する。【００１２】
温度調節器は、複数の温度の制御の単位の各々について、温度を目標温度にするためにヒータをオンにすべきか又はオフにすべきかを現在の温度及び温度プロファイルに基づいて判断する。【００１３】
温度調節器は、複数の温度の制御の単位の各々について、ヒータをオンにすべきと判断しヒータが選択された場合にヒータをオンにし、ヒータをオンにすべきと判断したがヒータが選択されなかった場合に又はヒータをオフにすべきと判断した場合にヒータをオフにする。【００１４】
制御機構は、相対的に低頻度で繰り返し到来する複数の第１の更新機会の各々に複数の温度の制御の単位の各々について温度を目標温度にするためにヒータに供給する必要がある必要電力を現在の温度及び目標温度に基づいて更新し、次に到来する第１の更新機会まで必要電力を一定に維持する。【００１５】
制御機構は、相対的に高頻度で繰り返し到来する複数の第２の更新機会の各々に複数のヒータから選択されたヒータを合計必要電力と合計消費電力との電力差が基準内になるように更新し、次に到来する第２の更新機会まで複数のヒータから選択されたヒータを一定に維持する。合計必要電力は、必要電力を複数のヒータにわたって合計した電力である。合計消費電力は、複数のヒータの各々の消費電力を複数のヒータにわたって合計した電力である。【００１６】
本発明の第２の局面によれば、制御装置は、温度測定機構、ヒータ制御機構及び制御機構を備える。【００１７】
温度測定機構は、複数の温度の制御の単位の各々について、温度センサの検出結果から現在の温度を取得する。【００１８】
ヒータ制御機構は、複数の温度の制御の単位の各々について、ヒータが選択された場合にヒータをオンにし、ヒータが選択されない場合にヒータをオフにする。【００１９】
制御機構は、相対的に低頻度で繰り返し到来する複数の第１の更新機会の各々に複数の温度の制御の単位の各々について温度を目標温度にするためにヒータに供給する必要がある必要電力を現在の温度及び目標温度に基づいて更新し、次に到来する第１の更新機会まで必要電力を一定に維持する。【００２０】
制御機構は、相対的に高頻度で繰り返し到来する複数の第２の更新機会の各々に複数のヒータから選択されたヒータを合計必要電力と合計消費電力との電力差が基準内になるように更新し、次に到来する第２の更新機会まで複数のヒータから選択されたヒータを一定に維持する。合計必要電力は、必要電力を複数のヒータにわたって合計した電力である。合計消費電力は、複数のヒータの各々の消費電力を複数のヒータにわたって合計した電力である。【００２１】
本発明は、制御装置及び上位制御装置を備える制御装置の群にも向けられ、制御装置及びモジュール電池を備える電力貯蔵措置にも向けられる。
【発明の効果】
【００２２】
一の第１の更新機会から次に到来する他の第１の更新機会までの期間において、合計必要電力が一定に維持され、合計消費電力が合計必要電力に近づけられる。このため、当該期間において合計消費電力がほぼ一定に維持される。【００２３】
合計必要電力は、複数の温度の制御の単位の各々の温度を目標温度にするために供給する必要がある電力である。このため、一の第１の更新機会から次に到来する他の第１の更新機会までの期間において、合計消費電力を合計必要電力に近づけることにより、複数の温度の制御の単位の各々の温度が目標温度に近づく。【００２４】
一の第１の更新機会から次に到来する他の第１の更新機会までの期間において複数の温度の制御の単位の各々の温度を目標温度に近づけることにより、第１の更新機会の前後で合計必要電力が大きく変動しない。これにより、第１の更新機会の前後で合計消費電力が大きく変動しない。【００２５】
これらにより、モジュール電池の温度を目標温度に近づけながら複数のヒータの各々の消費電力を複数のヒータにわたって合計した合計消費電力を安定させることができる。【００２６】
これらの及びこれら以外の本発明の目的、特徴、局面及び利点は、添付図面とともに考慮されたときに下記の本発明の詳細な説明によってより明白となる。
【図面の簡単な説明】
【００２７】
【図１】電力貯蔵装置等のブロック図である。
【図２】モジュール電池の断面図である。
【図３】温度制御系のブロック図である。
【図４】必要電力等が更新される時機を示すタイムチャートである。
【図５】温度プロファイルの例を示すグラフである。
【図６】温度調節器のブロック図である。
【図７】温度調節器のモードを切り替える処理の流れを示すフローチャートである。
【図８】許可取得モードにおける処理の流れを示すフローチャートである。
【図９】自律モードにおける処理の流れを示すフローチャートである。
【図１０】制御機構のブロック図である。
【図１１】必要電力等を更新する処理の流れを示すフローチャートである。
【図１２】選択されたヒータを更新する処理の流れを示すフローチャートである。
【図１３】制御機構のモードを切り替える処理の流れを示すフローチャートである。
【図１４】複数のモジュール電池等を示すブロック図である。
【図１５】複数のモジュール電池等を示すブロック図である。
【図１６】選択されたヒータを更新する処理の流れを示すフローチャートである。
【図１７】温度制御系のブロック図である。
【図１８】選択されたヒータを更新する処理の流れを示すフローチャートである。
【図１９】複数のモジュール電池等を示すブロック図である。
【図２０】複数のモジュール電池等を示すブロック図である。
【発明を実施するための形態】
【００２８】
１  第１実施形態
１．１  電力貯蔵装置
図１のブロック図は、電力貯蔵装置１０００等を示す。
【００２９】
図１に示されるように、電力貯蔵装置１０００は、複数の電池ユニット１０１０、複数の双方向変換器１０１１、変圧器１０１２、電力線１０１３、上位制御装置１０１４等を備える。電力貯蔵装置１０００の構成は、電力貯蔵装置１０００の仕様に応じて変更される。例えば、電池ユニット１０１０の数及び双方向変換器１０１１の数は、電力貯蔵装置１０００の仕様に応じて増減される。
【００３０】
電力貯蔵装置１０００が系統１０２０へ送電する場合は、複数の電池ユニット１０１０が放電し、複数の電池ユニット１０１０から系統１０２０へ電力線１０１３により電力が伝送される。複数の電池ユニット１０１０の各々からの電力は、複数の電池ユニット１０１０の各々に対応する双方向変換器１０１１により直流から交流へ変換され、変圧器１０１２により昇圧される。
【００３１】
電力貯蔵装置１０００が系統１０２０から受電する場合は、系統１０２０から複数の電池ユニット１０１０へ電力線１０１３により電力が伝送され、複数の電池ユニット１０１０が充電される。複数の電池ユニット１０１０の各々への電力は、変圧器１０１２により降圧され、複数の電池ユニット１０１０の各々に対応する双方向変換器１０１１により交流から直流へ変換される。
【００３２】
電力貯蔵装置１０００は、負荷平準化運転を行ってもよいし、負荷追従運転を行ってもよい。電力貯蔵装置１０００が停電対策又は瞬低対策に使用されてもよい。
【００３３】
１．２  電池ユニット
図１に示されるように、複数の電池ユニット１０１０の各々は、複数のモジュール電池１０３０、配線１０３１、制御装置１０３２、筐体１０３３等を備える。電池ユニット１０１０の構成は、電池ユニット１０１０の仕様に応じて変更される。例えば、モジュール電池１０３０の数は、電池ユニット１０１０の仕様に応じて増減される。制御装置１０３２及び上位制御装置１０１４は、制御装置の群を構成する。
【００３４】
複数の電池ユニット１０１０の各々においては、複数のモジュール電池１０３０が配線１０３１により電気的に直列に接続される。直列数は、典型的には１０から２０までである。複数のモジュール電池１０３０の電気的な接続が変更されてもよい。例えば、複数のモジュール電池１０３０を電気的に直列に接続した電池列が構成され、複数の電池列が電気的に並列に接続されてもよい。電池ユニット１０１０が放電する場合は、放電する電池ユニット１０１０が備える複数のモジュール電池１０３０が同時に放電する。電池ユニット１０１０が充電される場合は、充電される電池ユニット１０１０が備える複数のモジュール電池１０３０が同時に充電される。
【００３５】
複数の電池ユニット１０１０の各々においては、同時に放電し同時に充電される複数のモジュール電池１０３０の温度が制御装置１０３２に制御され、複数のモジュール電池１０３０、配線１０３１、制御装置１０３２等が筐体１０３３の内部に設置される。
【００３６】
１．３  モジュール電池
図２の断面図は、モジュール電池１０３０を模式的に示す。
【００３７】
図２に示されるように、モジュール電池１０３０は、複数の単電池１０４０、配線１０４１、温度センサ１０４２、ヒータ１０４３、砂１０４４、容器１０４５等を備える。モジュール電池１０３０の構成は、モジュール電池１０３０の仕様に応じて変更される。例えば、単電池１０４０、温度センサ１０４２及びヒータ１０４３の数は、モジュール電池１０３０の仕様に応じて増減される。
【００３８】
複数の単電池１０４０の各々は、ナトリウム−硫黄電池である。複数の単電池１０４０の各々がナトリウム−硫黄電池以外の高温動作型の二次電池であってもよい。
【００３９】
複数の単電池１０４０は、配線１０４１により電気的に接続される。モジュール電池１０３０が放電する場合は、複数の単電池１０４０が同時に放電する。モジュール電池１０３０が充電される場合は、複数の単電池１０４０が同時に充電される。
【００４０】
温度センサ１０４２は、容器１０４５の内部の温度を検出する。
【００４１】
ヒータ１０４３は、供給された電力を熱に変換し、容器１０４５の内部を加熱する。
【００４２】
容器１０４５の内部には、複数の単電池１０４０、配線１０４１、温度センサ１０４２、ヒータ１０４３、砂１０４４等が収容される。複数の単電池１０４０、配線１０４１、温度センサ１０４２、ヒータ１０４３等は、砂１０４４に埋設される。
【００４３】
１．４  温度制御系
図３のブロック図は、温度制御系１０５０を示す。
【００４４】
図３に示されるように、複数のモジュール電池１０３０の各々は、温度センサ１０４２及びヒータ１０４３を備える。これにより、複数のモジュール電池１０３０は、複数の温度センサ１０４２及び複数のヒータ１０４３を備える。複数のモジュール電池１０３０の各々は、１個の温度の制御の単位になる。複数の温度の制御の単位の各々は、残余の温度の制御の単位とは別に温度を制御できるように構成された部分であり、温度の制御に使用される少なくとも１個の温度センサ及び少なくとも１個のヒータを備える。
【００４５】
制御装置１０３２は、複数の温度調節器１０６０、制御機構１０６１、電力計１０６２、温度センサ１０６３、電力線１０６４、電力線１０６５等を備える。複数の温度調節器１０６０は、互いに独立している。互いに独立している複数の温度調節器１０６０に代えて、複数の温度調節器１０６０を内蔵した機構が備えられてもよい。
【００４６】
複数の温度調節器１０６０の各々は、対応するモジュール電池１０３０の温度を目標温度T2t(i)に近づけるための個別判断を行う。自然数iは、複数のモジュール電池１０３０の各々を識別する。制御機構１０６１は、複数のヒータ１０４３の各々の消費電力を複数のヒータ１０４３にわたって合計した合計消費電力Wを安定させるための全体判断を行う。複数の温度調節器１０６０の各々は、対応するモジュール電池１０３０が備えるヒータ１０４３をオンにする又はオフにする場合に、複数の温度調節器１０６０の各々による個別判断に加えて制御機構１０６１による全体判断を考慮する。これにより、複数のモジュール電池１０３０の各々の温度が目標温度T2t(i)に近づき、合計消費電力Wが安定する。
【００４７】
複数の温度調節器１０６０の各々は、対応するモジュール電池１０３０について、温度センサ１０４２の検出結果から現在の温度T1a(i)を取得し、温度を目標温度T2t(i)にするためにヒータ１０４３をオンにすべきか又はオフにすべきかを現在の温度T1a(i)及び温度プロファイルに基づいて判断する。
【００４８】
複数の温度調節器１０６０の各々は、対応するモジュール電池１０３０について、ヒータ１０４３をオンにすべきと判断した場合にオンリクエスト信号を制御機構１０６１へ送信する。複数の温度調節器１０６０の各々は、対応するモジュール電池１０３０について、ヒータ１０４３をオンにすべきと判断しオン許可信号を制御機構１０６１から受信できた場合にヒータ１０４３をオンにし、ヒータ１０４３をオンにすべきと判断したがオン許可信号を制御機構１０６１から受信できない場合に又はヒータ１０４３をオフにすべきと判断した場合にヒータ１０４３をオフにする。
【００４９】
複数の温度調節器１０６０の各々は、対応するモジュール電池１０３０について、目標温度T2t(i)から現在の温度T1a(i)を減じた温度差T2t(i)-T1a(i)、温度差T2t(i)-T1a(i)の時間積分及び温度差T2t(i)-T1a(i)の時間微分に基づいて、ヒータ１０４３をオンにすべきか又はオフにすべきかを判断する。温度差T2t(i)-T1a(i)が大きくなるほどヒータ１０４３をオンにすべきという判断がされやすくなり、温度差T2t(i)-T1a(i)の時間積分が大きくなるほどヒータ１０４３をオンにすべきという判断がされやすくなり、温度差T2t(i)-T1a(i)の時間微分が大きくなるほどヒータ１０４３をオンにすべきという判断がされやすくなる。判断の基礎となる因子又は判断のアルゴリズムが変更されてもよい。
【００５０】
制御機構１０６１は、オンリクエスト信号を受信し、オンリクエスト信号の送信元の温度調節器１０６０に対応するモジュール電池１０３０が備えるヒータ１０４３を選択する場合にオンリクエスト信号の送信元の温度調節器１０６０へオン許可信号を送信し、オンリクエスト信号の送信元の温度調節器１０６０に対応するモジュール電池１０３０が備えるヒータ１０４３を選択しない場合にオンリクエスト信号の送信元の温度調節器１０６０へオン許可信号を送信しない。したがって、複数の温度調節器１０６０の各々がオン許可信号を受信できるのは対応するモジュール電池１０３０が備えるヒータ１０４３が選択された場合であり、複数の温度調節器１０６０の各々がオン許可信号を受信できないのは対応するモジュール電池１０３０が備えるヒータ１０４３が選択されなかった場合である。
【００５１】
制御機構１０６１は、複数のモジュール電池１０３０の各々について温度を目標温度T2t(i)にするためにヒータ１０４３に供給する必要がある必要電力WD(i)を現在の温度T1a(i)及び目標温度T2t(i)に基づいて求め、必要電力WD(i)を複数のヒータ１０４３にわたって合計した合計必要電力WDtを求める。
【００５２】
制御機構１０６１は、合計消費電力Wが合計必要電力WDtに近づくように複数のヒータ１０４３の全部又は一部を選択する。選択は、望ましくは現在の温度T1a(i)が現在の目標温度T1t(i)以下であるモジュール電池１０３０が備えるヒータ１０４３から行われる。これにより、現在の温度T1a(i)が現在の目標温度T1t(i)より高いモジュール電池１０３０が加熱されない。
【００５３】
電力計１０６２は、合計消費電力Wを測定する。電力計１０６２が合計消費電力Wを実測することにより、複数のヒータ１０４３の各々に印加される電圧が定格電圧からずれている、複数のヒータ１０４３の各々の抵抗値が定格抵抗値からずれている等の理由により複数のヒータ１０４３の各々の消費電力が定格消費電力からずれている場合でも、合計消費電力Wが正確に測定される。電力計１０６２以外の電力測定機構により合計消費電力Wが測定されてもよい。例えば、ヒータ用の電力を伝送する電力線１０６４の電圧を電圧計が測定し、電力線１０６４を流れる電流を電流計が測定し、当該電圧と当該電流とを乗算器が乗じることにより、合計消費電力Wが測定されてもよい。
【００５４】
温度センサ１０６３は、複数のモジュール電池１０３０の周辺温度Taを検出する。複数のモジュール電池１０３０の各々に対応する温度センサが備えられてもよい。温度センサ１０６３が筐体１０３３の外部において周辺温度Taを検出してもよい。周辺温度Taが一定であるとみなせる環境に電力貯蔵装置１０００が設置される場合は、温度センサ１０６３が省略されてもよい。
【００５５】
電力線１０６４は、ヒータ用の電力を温度調節器１０６０へ伝送する。電力線１０６５は、制御用の電力を温度調節器１０６０及び制御機構１０６１へ伝送する。
【００５６】
１．５  更新機会
図４のタイムチャートは、必要電力WD(i)、合計必要電力WDt及び選択されたヒータ１０４３が更新される時機を示す。
【００５７】
制御機構１０６１は、図４に示されるように、周期CT1で繰り返し到来する複数の更新機会１０７０の各々に、必要電力WD(i)及び合計必要電力WDtを更新する。更新された必要電力WD(i)及び合計必要電力WDtは、次に到来する更新機会１０７０まで一定に維持される。
【００５８】
制御機構１０６１は、周期CT2で繰り返し到来する複数の更新機会１０７１の各々に、選択されたヒータ１０４３を更新する。更新された、選択されたヒータ１０４３は、次に到来する更新機会１０７１まで一定に維持される。
【００５９】
周期CT1は周期CT2より長く、更新機会１０７１は更新機会１０７０より高頻度で到来する。一の更新機会１０７０から次に到来する他の更新機会１０７０までの期間１０８０と、一の更新機会１０７１から次に到来する他の更新機会１０７１までの期間１０８１とを考えた場合は、複数の期間１０８０の各々に複数の期間１０８１が属する。これにより、オンすべきと判断されたヒータ１０４３の一部が選択された場合でも、選択されたヒータ１０４３が更新機会１０７１に更新され、オンにすべきと判断されたヒータ１０４３の中において実際にオンにされるヒータ１０４３が偏ることが抑制される。
【００６０】
１．６  温度制御系の利点
温度制御系１０５０によれば、複数の期間１０８０の各々において、合計必要電力WDtが一定に維持され、合計消費電力Wが合計必要電力WDtに近づけられる。このため、複数の期間１０８０の各々において、合計消費電力Wがほぼ一定に維持される。
【００６１】
合計必要電力WDtは、複数のモジュール電池１０３０の各々の温度を目標温度T2t(i)にするために供給する必要がある電力である。このため、複数の期間１０８０の各々において、合計消費電力Wを合計必要電力WDtに近づけることにより、複数のモジュール電池１０３０の各々の温度が目標温度T2t(i)に近づく。
【００６２】
複数の期間１０８０の各々において複数のモジュール電池１０３０の各々の温度を目標温度T2t(i)に近づけることにより、更新機会１０７０の前後で合計必要電力WDtが大きく変動しない。これにより、更新機会１０７０の前後で合計消費電力Wが大きく変動しない。
【００６３】
これらにより、複数のモジュール電池１０３０の各々の温度を目標温度T2t(i)に近づけながら合計消費電力Wを安定させることができる。
【００６４】
複数のモジュール電池１０３０が同時に放電し同時に充電される場合は、複数のモジュール電池１０３０の温度が同期して変動し、複数のモジュール電池１０３０を加熱しなければならない時機が同時に到来する。このため、複数のモジュール電池１０３０が同時に放電し同時に充電されるにもかかわらず合計消費電力Wを変動しにくくするための処理が行われない場合は、複数のヒータ１０４３の全部が同時にオンにされることが想定され、複数のヒータ１０４３の各々の定格消費電力を複数のヒータ１０４３にわたって合計した電力と制御装置１０３２及び温度調節器１０６０が消費する電力とを合計した電力以上の電力を供給できる非常用電源を停電が発生した場合に備えて準備しなければならない。これに対して、温度制御系１０５０によれば、合計消費電力Wを変動しにくくするための処理が行われるため、合計必要電力WDt程度の電力を供給できる非常用電源を停電が発生した場合に備えて準備すれば足りる。変圧器、遮断機等についても同様である。
【００６５】
１．７  温度プロファイル及び目標温度
図５のグラフは、温度プロファイルの例を示す。
【００６６】
図５に示される温度プロファイルは、モジュール電池１０３０の温度を最終目標温度まで上昇させる場合の時間とモジュール電池１０３０の温度との関係を示す。最終目標温度は、３０５℃である。最終目標温度は、モジュール電池１０３０の仕様に応じて変更される。
【００６７】
現在の目標温度T1t(i)は、温度プロファイルにしたがってモジュール電池１０３０の温度が上昇する場合の、現在の時刻t1に到来する更新機会１０７０におけるモジュール電池１０３０の温度である。目標温度T2t(i)は、温度プロファイルにしたがってモジュール電池１０３０の温度が上昇する場合の、未来の時刻t2に到来する更新機会１０７０におけるモジュール電池１０３０の温度であり、望ましくは次に到来する更新機会１０７０におけるモジュール電池１０３０の温度である。現在の目標温度T1t(i)及び目標温度T2t(i)が温度プロファイルによらずに決定される場合もある。例えば、モジュール電池１０３０の温度が最終目標温度に到達した後にモジュール電池１０３０の温度を最終目標温度に維持する場合は、最終目標温度が現在の目標温度T1t(i)及び目標温度T2t(i)になってもよい。
【００６８】
１．８  必要電力及び合計必要電力
必要電力WD(i)は、複数のモジュール電池１０３０の各々から放熱される熱を補うのに必要な電力WD1(i)と、複数のモジュール電池１０３０の各々から放熱される熱が存在しない場合に複数のモジュール電池１０３０の各々の温度を目標温度T2t(i)にするのに必要な電力WD2(i)と、の和である。
【００６９】
必要電力WD(i)が複数のモジュール電池１０３０の各々の温度を次に到来する更新機会１０７０に目標温度T2t(i)にするために複数のモジュール電池１０３０の各々が備えるヒータ１０４３に供給する必要がある電力である場合は、電力WD1(i)は、現在の温度T1a(i)及び目標温度T2t(i)を平均した平均温度{T1a(i)+T2t(i)}/2から周辺温度Taを減じた温度差[{T1a(i)+T2t(i)}/2]-Taと第１の係数との積であり、電力WD2(i)は、目標温度T2t(i)から現在の温度T1a(i)を減じた温度差T2t(i)-T1a(i)と第２の係数との積である。
【００７０】
したがって、周辺温度と温度差TDrが生じている場合に複数のモジュール電池１０３０の各々から単位時間に放熱される熱がWOであるとし、複数のモジュール電池１０３０の各々の熱容量がCであるとし、モジュール電池１０３０の数がn個であるとした場合は、必要電力WD(i)及び合計必要電力WDtは、それぞれ以下の式１及び式２で表現される。
【００７１】
【数１】
2016021270.tif 000003
【００７２】
１．９  温度調節器
温度調節器１０６０には、組み込みコンピュータが内蔵される。組み込みコンピュータは、インストールされたファームウェアを実行し、ファームウェアにしたがって処理を行う。組み込みコンピュータが担う処理の全部又は一部がソフトウェアを実行しないハードウェアにより担われてもよい。
【００７３】
図６のブロック図は、温度調節器１０６０を示す。
【００７４】
図６に示されるように、温度調節器１０６０の記憶部１１００には、温度プロファイル１１１０及び制限温度差１１１１が記憶される。
【００７５】
１．１０  温度調節器のモードの切り替え
温度調節器１０６０のモードは、許可取得モードと自律モードとの間で切り替えられる。複数の温度調節器１０６０の各々のモードは残余の温度調節器１０６０のモードから独立しているため、許可取得モードと自律モードとの切り替えは複数のモジュール電池１０３０の各々について行われる。互いに独立している複数の温度調節器１０６０に代えて複数の温度調節器１０６０を内蔵した機構が備えられる場合も、複数のモジュール電池１０３０の各々について許可取得モードと自律モードとの切り替えが行われる。
【００７６】
図７のフローチャートは、温度調節器１０６０のモードを切り替える処理の流れを示す。
【００７７】
図７に示されるように、温度調節器１０６０は、ステップ１１２０において、現在の目標温度T1t(i)から現在の温度T1a(i)を減じた温度差T1t(i)-T1a(i)が制限温度差DT未満であるか否かを判定する。現在の目標温度T1t(i)は、記憶部１１００から読み出された温度プロファイル１１１０から得られる。現在の温度T1a(i)は、温度センサ１０４２の検出結果から取得される。制限温度差DT（制限温度差１１１１）は、記憶部１１００から読み出される。温度調節器１０６０は、ステップ１１２０において温度差T1t(i)-T1a(i)が制限温度差DT未満であると判定した場合は、ステップ１１２１において許可取得モードとなる。温度調節器１０６０は、ステップ１１２０において温度差T1t(i)-T1a(i)が制限温度差DT以上であると判定した場合は、ステップ１１２２において自律モードとなる。
【００７８】
１．１１  許可取得モード
図８のフローチャートは、許可取得モードにおける処理の流れを示す。許可取得モードにおける処理は、「１．４  温度制御系」の欄で説明した制御を行うために実行される。
【００７９】
図８に示されるように、温度調節器１０６０は、ステップ１１３０において、ヒータ１０４３をオンにすべきか又はオフにすべきかを判断する。温度調節器１０６０は、ステップ１１３０においてヒータ１０４３をオンにすべきと判断した場合は、ステップ１１３１においてオンリクエスト信号を制御機構１０６１へ送信する。
【００８０】
続いて、温度調節器１０６０は、ステップ１１３２において、オンリクエスト信号への応答のオン許可信号を受信できたか否かを判定する。温度調節器１０６０は、ステップ１１３２においてオン許可信号を受信できたと判定した場合は、ステップ１１３３においてヒータ１０４３をオンにする。温度調節器１０６０は、ステップ１１３２においてオン許可信号を受信できなかったと判定した場合は、ステップ１１３４においてヒータ１０４３をオフにする。
【００８１】
温度調節器１０６０は、ステップ１１３０においてヒータ１０４３をオフにすべきと判断した場合は、ステップ１１３４においてヒータ１０４３をオフにする。
【００８２】
これにより、温度調節器１０６０がヒータ１０４３をオンにすべきと判断し制御機構１０６１がヒータ１０４３を選択した場合はヒータ１０４３がオンにされ、温度調節器１０６０がヒータ１０４３をオンにすべきと判断したが制御機構１０６１がヒータ１０４３を選択しなかった場合又は温度調節器１０６０がヒータ１０４３をオフにすべきと判断した場合はヒータ１０４３がオフにされる。オンにされたヒータ１０４３には、温度調節器１０６０から電力が供給される。オフにされたヒータ１０４３には、温度調節器１０６０から電力が供給されない。
【００８３】
１．１２  自律モード
図９のフローチャートは、自律モードにおける処理の流れを示す。自律モードにおける処理は、「１．４  温度制御系」の欄で説明した制御とは異なる制御を例外的に行うために実行される。
【００８４】
図９に示されるように、温度調節器１０６０は、ステップ１１４０において、光を発すること、音を鳴らすこと等により自律モードになったことを報知する。
【００８５】
続いて、温度調節器１０６０は、ステップ１１４１において、ヒータ１０４３をオンにすべきか又はオフにすべきかを判断する。温度調節器１０６０は、ステップ１１４１においてヒータ１０４３をオンにすべきと判断した場合は、ステップ１１４２においてヒータ１０４３をオンにする。温度調節器１０６０は、ステップ１１４１においてヒータ１０４３をオフにすべきと判断した場合は、ステップ１１４３においてヒータ１０４３をオフにする。
【００８６】
これにより、温度調節器１０６０がヒータ１０４３をオンにすべきと判断した場合は、制御機構１０６１がヒータ１０４３を選択したか否かにかかわらずヒータ１０４３がオンにされ、温度調節器１０６０がヒータ１０４３をオフにすべきと判断した場合は、ヒータ１０４３がオフにされる。
【００８７】
自律モードにより、温度調節器１０６０が制御機構１０６１からオン許可信号を正常に受信できない等の原因により温度差T1t(i)-T1a(i)が適正範囲外となった場合に温度調節器１０６０のモードが許可取得モードから自律モードへ移行し、温度差T1t(i)-T1a(i)が適正範囲内に復帰する。これにより、モジュール電池１０３０の劣化が抑制される。温度調節器１０６０が自律モードになった場合は、合計消費電力Wを変動しにくくするための制御機構１０６１の判断が自律モードになった温度調節器１０６０に対応するヒータ１０４３のオン又はオフに反映されないため、合計消費電力Wが変動しやすくなる。しかし、温度調節器１０６０が自律モードになったことを報知することにより、操作者は温度調節器１０６０が自律モードになったことを認識でき、正常な電池ユニット１０１０を使用して合計消費電力Wが変動することを抑制する等の措置をとることができる。また、自律モードになった温度調節器１０６０が発生した場合に、許可取得モードのままの温度調節器１０６０に対して合計必要電力WDt及び選択されたヒータ１０４３の更新を継続することにより、合計消費電力Wの変動が抑制される。
【００８８】
１．１３  制御機構
制御機構１０６１には、組み込みコンピュータが内蔵される。組み込みコンピュータは、インストールされたファームウェアを実行し、ファームウェアにしたがって処理を行う。組み込みコンピュータが担う処理の全部又は一部がソフトウェアを実行しないハードウェアにより担われてもよい。
【００８９】
図１０のブロック図は、制御機構１０６１を示す。
【００９０】
図１０に示されるように、制御機構１０６１の記憶部１１５０には、温度プロファイル１１６０及び複数のヒータ１０４３の各々の定格消費電力１１６１が記憶される。モジュール電池１０３０の温度が最終目標温度に到達した後にモジュール電池１０３０の温度を最終目標温度に維持する制御のみを制御機構１０６１が行う場合は、温度プロファイル１１６０が記憶部１１５０に記憶されていなくてもよく、記憶部１１５０の容量を削減できる。
【００９１】
１．１４  必要電力、合計必要電力、選択されたヒータ、オンにされるヒータ及びオフにされるヒータの更新
図１１のフローチャートは、必要電力WD(i)、合計必要電力WDt、選択されたヒータ１０４３、オンにされるヒータ１０４３及びオフにされるヒータ１０４３を更新する処理の流れを示す。
【００９２】
図１１に示される処理は、ステップ１１７０から１１７３までの必要電力WD(i)及び合計必要電力WDtを更新する第１の処理と、ステップ１１７４から１１７７までの選択されたヒータ１０４３、オンにされるヒータ１０４３及びオフにされるヒータ１０４３を更新する第２の処理と、に大別される。
【００９３】
制御機構１０６１は、図１１に示されるように、ステップ１１７０において、CT1タイマにより監視されている時間が周期CT1を経過したか否かを判定する。制御機構１０６１は、CT1タイマにより監視されている時間が周期CT1を経過したとステップ１１７０において判定した場合は、ステップ１１７１において必要電力WD(i)を更新し、ステップ１１７２において合計必要電力WDtを更新し、ステップ１１７３においてCT1タイマをリセットし、必要電力WD(i)及び合計必要電力WDtを更新する処理を終了する。制御機構１０６１は、CT1タイマにより監視されている時間が周期CT1を経過していないとステップ１１７０において判定した場合は、必要電力WD(i)及び合計必要電力WDtを更新せずに第１の処理を終了する。
【００９４】
必要電力WD(i)及び合計必要電力WDtを更新する処理が終了した後に、制御機構１０６１は、ステップ１１７４において、CT2タイマにより監視されている時間が周期CT2を経過したか否かを判定する。制御機構１０６１は、CT2タイマにより監視されている時間が周期CT2を経過したとステップ１１７４において判定した場合は、ステップ１１７５において選択されたヒータ１０４３を更新する。これに応答して、複数の温度調節器１０６０の各々は、ステップ１１７６において、対応するモジュール電池１０３０が備えるヒータ１０４３をオンにするか又はオフにする。続いて、制御機構１０６１は、ステップ１１７７においてCT2タイマをリセットし、選択されたヒータ１０４３、オンにされるヒータ１０４３及びオフにされるヒータ１０４３を更新する処理を終了する。制御機構１０６１は、CT2タイマにより監視されている時間が周期CT2を経過していないとステップ１１７４において判定した場合は、選択されたヒータ１０４３、オンにされるヒータ１０４３及びオフにされるヒータ１０４３を更新せずに第２の処理を終了する。
【００９５】
これにより、周期CT1で繰り返し到来する複数の更新機会１０７０の各々に必要電力WD(i)及び合計必要電力WDtが更新され、周期CT2で繰り返し到来する複数の更新機会１０７１の各々に選択されたヒータ１０４３、オンにされるヒータ１０４３及びオフにされるヒータ１０４３が更新される。
【００９６】
１．１５  選択されたヒータの更新
図１２のフローチャートは、選択されたヒータ１０４３を更新する処理の流れを示す。
【００９７】
制御機構１０６１は、図１２に示されるように、ステップ１１８０において、ヒータ１０４３を選択する順を決定する。ヒータ１０４３を選択する順は、ヒータ１０４３を備えるモジュール電池１０３０における温度差T1t(i)-T1a(i)が大きい順である。これにより、温度差T1t(i)-T1a(i)が大きいモジュール電池１０３０が備えるヒータ１０４３、すなわち、オンにする必要性が高いヒータ１０４３がオンされやすくなる。温度差T1t(i)-T1a(i)は、温度調節器１０６０から取得される。制御機構１０６１が現在の温度T1a(i)を取得し温度差T1t(i)-T1a(i)を求めてもよい。ヒータ１０４３を選択する順を決定する基礎となる因子が変更されてもよい。例えば、ヒータ１０４３を選択する順が、温度調節器１０６０がオンにすべきと判断したが制御機構１０６１が選択しなかった時間が長い順又は温度調節器１０６０がオンにすべきと判断したが制御機構１０６１が選択しなかった回数が多い順であってもよい。この場合は、選択されたヒータ１０４３については時間又は回数が０にリセットされる。
【００９８】
続いて、制御機構１０６１は、ステップ１１８１において、決定された順が最も上位のヒータ１０４３を選択していないヒータ１０４３から選択し、選択されたヒータ１０４３を１つ増加させる。
【００９９】
続いて、制御機構１０６１は、ステップ１１８２において、選択されたヒータ１０４３を備えるモジュール電池１０３０に対応する温度調節器１０６０にオン許可信号を送信する。このとき、オン許可信号を受信した温度調節器１０６０が選択されたヒータ１０４３をオンにするため、合計消費電力Wは選択されたヒータ１０４３の消費電力の分だけ増加する。
【０１００】
続いて、制御機構１０６１は、ステップ１１８３において、合計必要電力WDtから次に選択するヒータ１０４３の定格消費電力Wmを減じた電力WDt-Wmを合計消費電力Wが超えているか否かを判定する。合計消費電力Wは、電力計１０６２から取得される。次に選択するヒータ１０４３の定格消費電力Wm（定格消費電力１１６１）は、記憶部１１５０から読み出される。制御機構１０６１は、ステップ１１８３において合計消費電力Wが電力WDt-Wmを超えていると判定した場合は、選択されたヒータ１０４３を更新する処理を終了する。制御機構１０６１は、ステップ１１８３において合計消費電力Wが電力WDt-Wmを超えていないと判定した場合は、ステップ１１８１に戻ってステップ１１８１から１１８３までを繰り返す。
【０１０１】
これにより、選択されたヒータ１０４３が更新される場合に、選択されたヒータ１０４３がない状態から選択されたヒータ１０４３がひとつずつ増やされ、合計消費電力Wが電力WDt-Wmを初めて超えるまでヒータ１０４３が決定された順に追加選択される。
【０１０２】
この場合は、通常は、合計消費電力Wと合計必要電力WDtとの電力差WDt-Wが0以上Wm未満という基準内になるように複数のヒータ１０４３の全部又は一部が選択される。ただし、現在の温度T1a(i)が目標温度T1t(i)以下であるモジュール電池１０３０が備えるヒータ１０４３から選択が行われる場合は、現在の温度T1a(i)が目標温度T1t(i)以下であるモジュール電池１０３０が不足し電力差WDt-Wが0以上Wm未満という基準を上回る場合もある。
【０１０３】
基準が変更されてもよい。例えば、合計必要電力WDtが、合計必要電力WDtに補正値Waddを加えた電力WDt+Waddに置き換えられてもよい。この場合は、合計消費電力Wが電力WDt+Wadd-Wmを初めて超えるまでヒータ１０４３が決定された順に追加選択され、電力差WDt-Wが-Wadd以上Wm-Wadd未満という基準内になるように複数のヒータ１０４３の全部又は一部が選択される。
【０１０４】
0以上Wm未満という基準が採用された場合は、合計消費電力Wが合計必要電力WDt以下になるため、複数のモジュール電池１０３０の各々の温度を目標温度T2t(i)にするのに必要な電力が複数のヒータ１０４３に供給されず、複数のモジュール電池１０３０の全部又は一部の温度が次に到来する更新機会１０７０に目標温度T2t(i)にならない。この場合は、次に到来する更新機会１０７０に合計必要電力WDtが大きくなり、不十分な温度の上昇が解消に向かうが、合計消費電力W及び合計必要電力WDtが変動しやすくなる。これに対して、補正値Waddにより合計必要電力WDtが補正された場合は、合計消費電力Wが合計必要電力WDtにより近づき、合計消費電力W及び合計必要電力WDtが変動しにくくなる。補正値Waddは、望ましくは次に選択されるヒータ１０４３の定格消費電力の１／２である。これにより、合計消費電力W及び合計必要電力WDtの変動を抑制する効果が特に大きくなる。
【０１０５】
１．１６  制御機構のモードの切り替え
制御機構１０６１のモードは、通常モードと停電モードとの間で切り替えられる。
【０１０６】
図１３のフローチャートは、制御機構１０６１のモードを切り替える処理を示す。
【０１０７】
図１３に示されるように、制御機構１０６１は、ステップ１１９０において、停電が発生しているか否かを判定する。制御機構１０６１は、ステップ１１９０において停電が発生していると判定した場合は、ステップ１１９１において停電モードとなる。制御機構１０６１は、ステップ１１９０において停電が発生していないと判定した場合は、ステップ１１９２において通常モードとなる。通常モードと停電モードとの間の切り替えが手動で行われてもよい。
【０１０８】
制御機構１０６１は、通常モードにおいては、電力差WDt-Wが0以上Wm未満という基準内になるように選択されたヒータ１０４３を更新する。
【０１０９】
制御機構１０６１は、停電モードにおいては、合計必要電力WDtを上限電力Wmaxに置き換え、電力差Wmax-Wが0以上Wm未満という基準内になるように選択されたヒータ１０４３を更新する。
【０１１０】
使用される非常用電源が停電の発生前に決まっている場合は、上限電力Wmaxは、停電の発生前に設定され、使用される非常用電源から供給を受けることができる電力以下に設定される。
【０１１１】
使用される非常用電源が停電の発生前に決まっていない場合は、上限電力Wmaxは、停電の発生後であって非常用電源からのヒータ用の電力及び制御用の電力の供給が開始される前に設定され、使用される非常用電源から供給を受けることができる電力以下に設定される。
【０１１２】
上限電力Wmaxは、合計必要電力WDtより小さくてもよく、以下の式３であらわされる電力WD1(i)を複数のモジュール電池１０３０にわたって合計した電力であってもよい。
【０１１３】
【数２】
2016021270.tif 000004
【０１１４】
停電が発生した場合に合計必要電力WDtをより小さな上限電力Wmaxに置き換えることにより、非常用電源が供給しなければならない電力を減らすことができる。
【０１１５】
停電が発生した場合に合計必要電力WDtをより小さな上限電力Wmaxに置き換えた場合は、温度プロファイルにしたがって複数のモジュール電池１０３０の各々の温度を上昇させることができず、複数のモジュール電池１０３０の各々の温度を上昇させるのに必要な時間が長くなる。しかし、停電の発生後に速やかに非常用電源からのヒータ用の電力及び制御用の電力の供給が開始された場合は、非常用電源からヒータ用の電力及び制御用の電力が供給されるのは停電が発生した場合等に限られ、複数のモジュール電池１０３０の各々の温度の低下が少ないため、実使用上の問題は発生しない。
【０１１６】
１．１７  制御装置
制御機構１０６１と上位制御装置１０１４との間では周期的に通信が行われる。通信が行われる周期は、例えば１秒である。通信が非周期的に行われてもよい。制御機構１０６１が故障した場合は、制御機構１０６１が故障したことを示す信号が制御機構１０６１から上位制御装置１０１４へ送信される。上位制御装置１０１４は、制御機構１０６１が故障したことを示す信号を受信した場合は、ディスプレイに表示を行うこと、音をならすこと等により、制御機構１０６１が故障したことを報知する。上位制御装置１０１４が、制御機構１０６１が故障したことを示す信号を受信した場合に代えて、又は、制御機構１０６１が故障したことを示す信号を受信した場合に加えて、制御機構１０６１と上位制御装置１０１４との間で正常に通信が行われなくなった場合に、制御機構１０６１が故障したことを報知してもよい。
【０１１７】
上位制御装置１０１４が、制御機構１０６１が故障したことを報知するのに加えて、又は、制御機構１０６１が故障したことを報知するのに代えて、温度調節器１０６０が自律モードになったことを報知してもよい。この場合は、温度調節器１０６０が自律モードになったことを制御機構１０６１が検出したときに温度調節器１０６０が自律モードになったことを示す信号が制御機構１０６１から上位制御装置１０１４へ送信される。上位制御装置１０１４は、温度調節器１０６０が自律モードになったことを示す信号を受信した場合は、ディスプレイに表示を行うこと、音をならすこと等により、温度調節器１０６０が自律モードになったことを報知する。
【０１１８】
１．１８  一群の測定点
複数のモジュール電池の各々が、一群の測定点の各々に対応する個々の温度センサ及び個々のヒータを備えることにより一群の温度センサ及び一群のヒータを備える場合がある。例えば、複数のモジュール電池の各々が、底面の近傍の測定点に対応する温度センサ及びヒータと側面の近傍の測定点に対応する温度センサ及びヒータとを備えることにより一群の温度センサ及び一群のヒータを備える場合がある。この場合は、複数のモジュール電池の各々が１個の温度の制御の単位であってもよいし一群の温度の制御の単位を有してもよい。
【０１１９】
図１４のブロック図は、図３に示される複数のモジュール電池１０３０及び複数の温度調節器１０６０を置き換える複数のモジュール電池１２００及び複数の温度調節器１２２０を示す。
【０１２０】
複数のモジュール電池１２００の各々が１個の温度の制御の単位になる場合は、図１４に示されるように、複数のモジュール電池１２００の各々に対応する温度調節器１２２０が備えられる。
【０１２１】
複数の温度調節器１２２０の各々は、対応するモジュール電池１２００について、個々の温度センサ１２１０の検出結果から個々の現在の温度を取得することにより一群の現在の温度を取得し、一群の現在の温度を単純平均することにより現在の温度T1a(i)を取得する。一群の現在の温度を加重平均することにより現在の温度T1a(i)が取得されてもよい。一群の現在の温度が加重平均される場合は、放熱への寄与が大きい領域に属する測定点１２４０に対応する温度センサ１２１０の検出結果から取得される温度に乗ぜられる加重係数が大きくなり、放熱への寄与が小さい領域に属する測定点１２４０に対応する温度センサ１２１０の検出結果から取得される温度に乗ぜられる加重係数が小さくなる。放熱への寄与は、一群の測定点１２４０の各々の温度を変化させた場合にモジュール電池１２００から放熱される熱がどのように変化するのかを測定することにより求められる。加重係数が他の方法により求められてもよい。
【０１２２】
目標温度T2t(i)は、一群の測定点１２４０の各々に対応する個々の目標温度を得ることにより一群の目標温度を得て一群の目標温度を単純平均又は加重平均することにより得られる。現在の目標温度T1t(i)は、一群の測定点１２４０の各々に対応する個々の現在の目標温度を得ることにより一群の現在の目標温度を得て一群の現在の目標温度を単純平均又は加重平均することにより得られる。
【０１２３】
複数の温度調節器１２２０の各々は、対応するモジュール電池１２００について、温度を目標温度T2t(i)にするために一群のヒータ１２１１をオンにすべきか又はオフにすべきかを現在の温度T1a(i)及び温度プロファイルに基づいて判断する。複数の温度調節器１０６０の各々は、対応するモジュール電池１２００について、一群のヒータ１２１１をオンにすべきと判断した場合にオンリクエスト信号を制御機構１０６１へ送信し、一群のヒータ１２１１をオンにすべきと判断しオン許可信号を制御機構１０６１から受信できた場合に一群のヒータ１２１１をオンにし、一群のヒータ１２１１をオンにすべきと判断したがオン許可信号を制御機構１０６１から受信できなかった場合に又は一群のヒータ１２１１をオフにすべきと判断した場合に一群のヒータ１２１１をオフにする。
【０１２４】
図１５のブロック図は、図３のブロック図に示される複数のモジュール電池１０３０及び複数の温度調節器１０６０を置き換える複数のモジュール電池１２５０及び複数の温度調節器１２７０を示す。
【０１２５】
複数のモジュール電池１２５０の各々が一群の温度の制御の単位１２６０を有する場合は、図１５に示されるように、一群の温度の制御の単位１２６０の各々に対応する温度調節器１２７０が備えられる。これにより、複数のモジュール電池１２５０の各々に対応する一群の温度調節器１２７０が備えられる。
【０１２６】
複数の温度調節器１２７０の各々は、図３に示される複数の温度調節器１０６０の各々が対応するモジュール電池１０３０について行った処理と同様の処理を、対応する温度の制御の単位１２６０について行う。この場合は、一群の温度の制御の単位１２６０の各々の熱容量がモジュール電池１２５０の熱容量を按分することより得られる。一群の温度の制御の単位１２６０の各々に按分される熱容量は、モジュール電池１２５０の内部の温度が均一になるように一群のヒータ１２８０の各々に電力を供給した場合に一群のヒータ１２８０の各々に供給される電力に応じて決められる。按分が他の方法により行われてもよい。
【０１２７】
１．１９  電力計の省略
電力計１０６２が省略され、制御機構１０６１が合計消費電力Wを求めてもよい。
【０１２８】
図１６のフローチャートは、制御機構１０６１が合計消費電力Wを求める場合の、選択されたヒータ１０４３を更新する処理の流れを示す。
【０１２９】
図１６に示されるように、制御機構１０６１は、ステップ１２９０において、図１２のフローチャートのステップ１１８０と同様に、ヒータ１０４３を選択する順を決定する。
【０１３０】
続いて、制御機構１０６１は、ステップ１２９１において、合計消費電力Wが合計必要電力WDt以下となる範囲内において選択されたヒータ１０４３の数が最大となるようにヒータ１０４３を決定された順に選択する。合計消費電力Wは、選択されたヒータ１０４３の各々の定格消費電力を選択されたヒータ１０４３にわたって合計することにより求められる。これにより、電力差WDt-Wが0以上Wm未満という基準内になるように複数のヒータ１０４３の全部又は一部が選択される。ただし、現在の温度T1a(i)が目標温度T1t(i)以下であるモジュール電池１０３０が備えるヒータ１０４３から選択が行われる場合は、現在の温度T1a(i)が目標温度T1t(i)以下であるモジュール電池１０３０が不足し電力差WDt-Wが0以上Wm未満という基準を上回る場合もある。
【０１３１】
基準が変更されてもよい。例えば、合計必要電力WDtが、合計必要電力WDtに補正値Waddを加えた電力WDt+Waddに置き換えられてもよい。この場合は、制御機構１０６１は、合計消費電力Wが合計必要電力WDt+Wadd以下となる範囲内において選択されたヒータ１０４３の数が最大となるように複数のヒータ１０４３の全部又は一部を選択する。
【０１３２】
続いて、制御機構１０６１は、ステップ１２９２において、選択されたヒータ１０４３を備える温度調節器１０６０にオン許可信号を送信する。
【０１３３】
１．２０  運転例
タイムテーブル１は、合計必要電力WDtの時間による変化の例を示す。
【０１３４】
【表１】
2016021270.tif 000005
【０１３５】
タイムテーブル２，３及び４は、それぞれ、期間1,2及び3におけるヒータの状態の時間による変化の例を示す。数字の「1」は、ヒータがオンにされたことを意味する。数字の「0」は、ヒータがオフにされたことを意味する。期間1-1から期間1-10までは期間1に属し、期間2-1から期間2-10までは期間2に属し、期間3-1から期間3-10までは期間3に属する。期間1-1から期間1-10まで、期間2-1から期間2-10まで及び期間3-1から期間3-10までの各々の長さは、周期CT2に一致する。
【０１３６】
【表２】
2016021270.tif 000006
【０１３７】
【表３】
2016021270.tif 000007
【０１３８】
【表４】
2016021270.tif 000008
【０１３９】
期間1-1から期間1-10までの各々においては、１０個のモジュール電池のうち４個のモジュール電池においてヒータがオンになり、合計消費電力Wが20kWになり、合計消費電力Wが合計必要電力WDt以下となる範囲内において選択されたヒータの数が最大になっている。
【０１４０】
期間2-1から期間2-10までの各々においては、１０個のモジュール電池のうち５個のモジュール電池においてヒータがオンになり、合計消費電力Wが25kWになり、合計消費電力Wが合計必要電力WDt以下となる範囲内において選択されたヒータの数が最大になっている。
【０１４１】
期間3-1及び期間3-3から期間3-10までにおいては、１０個のモジュール電池のうち５個のモジュール電池においてヒータがオンになり、合計消費電力Wが25kWになり、合計消費電力Wが合計必要電力WDt以下となる範囲内において選択されたヒータの数が最大になっている。しかし、期間3-2においては、１０個のモジュール電池のうち４個のモジュール電池においてヒータがオンになり、合計消費電力Wが20kWになる。これは、現在の温度が現在の目標温度T1t(i)以下であるモジュール電池が不足し、５個のヒータをオンにすることができなかったためである。
【０１４２】
２  第２実施形態
２．１  温度制御系
第２実施形態は、第１実施形態の温度制御系１０５０を置き換える温度制御系２０００に関する。以下では、第２実施形態の温度制御系２０００が第１実施形態の温度制御系１０５０と相違する点が主に説明される。説明されない点については、第１実施形態の温度制御系１０５０の構成が第２実施形態の温度制御系２０００において援用される。
【０１４３】
図１７のブロック図は、第２実施形態の温度制御系２０００を示す。
【０１４４】
図１７に示されるように、複数のモジュール電池２０１０の各々は、温度センサ２０２０及びヒータ２０２１を備える。これにより、複数のモジュール電池２０１０は、複数の温度センサ２０２０及び複数のヒータ２０２１を備える。複数のモジュール電池２０１０の各々は、１個の温度の制御の単位になる。
【０１４５】
制御装置２０３０は、複数の温度測定機構２０４０、複数のヒータ制御機構２０４１、制御機構２０４２、電力計２０４３、温度センサ２０４４、電力線２０４５、電力線２０４６等を備える。互いに独立している複数の温度測定機構２０４０に代えて複数の複数の温度測定機構２０４０を内蔵した機構が備えられてもよい。互いに独立している複数のヒータ制御機構２０４１に代えて複数のヒータ制御機構２０４１を内蔵した機構が備えられてもよい。
【０１４６】
複数の温度測定機構２０４０の各々は、対応するモジュール電池２０１０について、温度センサ２０２０の検出結果から現在の温度T1a(i)を取得する。
【０１４７】
複数のヒータ制御機構２０４１の各々は、対応するモジュール電池２０１０について、オン信号を制御機構２０４２から受信した場合にヒータ２０２１をオンにし、オフ信号を制御機構２０４２から受信した場合にヒータ２０２１をオフにする。
【０１４８】
制御機構２０４２は、選択されたヒータ２０２１を備えるモジュール電池２０１０に対応するヒータ制御機構２０４１にオン信号を送信し、選択されなかったヒータ２０２１を備えるモジュール電池２０１０に対応するヒータ制御機構２０４１にオフ信号を送信する。したがって、複数のヒータ制御機構２０４１の各々がオン信号を受信するのは対応するモジュール電池２０１０が備えるヒータ２０２１が選択された場合であり、複数のヒータ制御機構２０４１の各々がオフ信号を受信するのは対応するモジュール電池２０１０が備えるヒータ２０２１が選択されなかった場合である。
【０１４９】
制御機構２０４２は、第１実施形態の場合と同様に、複数のモジュール電池２０１０の各々について、温度を目標温度T2t(i)にするためにヒータ２０２１に供給する必要がある必要電力WD(i)を現在の温度T1a(i)及び目標温度T2t(i)に基づいて求め、必要電力WD(i)を複数のヒータ２０２１にわたって合計した合計必要電力WDtを求める。
【０１５０】
制御機構２０４２は、第１実施形態の場合と同様に、合計消費電力Wが合計必要電力WDtに近づくように複数のヒータ２０２１の全部又は一部を選択する。選択は、望ましくは現在の温度T1a(i)が現在の目標温度T1t(i)以下であるモジュール電池２０１０が備えるヒータ２０２１から行われる。
【０１５１】
制御機構２０４２は、第１実施形態の場合と同様に、周期CT1で繰り返し到来する複数の更新機会１０７０の各々に必要電力WD(i)及び合計必要電力WDtを更新し、次に到来する更新機会１０７０まで必要電力WD(i)及び合計必要電力WDtを一定に維持する。制御機構２０４２は、周期CT2で繰り返し到来する複数の更新機会１０７１の各々に選択されたヒータ２０２１を更新し、次に到来する更新機会１０７１まで選択されたヒータ２０２１を一定に維持する。更新機会１０７１は更新機会１０７０より高頻度で到来する。
【０１５２】
電力計２０４３は、合計消費電力Wを測定する。温度センサ２０４４は、複数のモジュール電池２０１０の周辺温度Taを検出する。電力線２０４５は、ヒータ用の電力をヒータ制御機構２０４１へ伝送する。電力線２０４６は、制御用の電力を制御装置２０３０の構成物へ伝送する。
【０１５３】
温度制御系２０００によれば、第１実施形態の場合と同様に、複数のモジュール電池２０１０の各々の温度を目標温度T2t(i)に近づけながら合計消費電力Wを安定させることができる。
【０１５４】
２．２  選択されたヒータの更新
図１８のフローチャートは、選択されたヒータ２０２１を更新する処理の流れを示す。
【０１５５】
制御機構２０４２は、図１８に示されるように、ステップ２０５０において、第１実施形態の場合と同様に、ヒータ２０２１を選択する順を決定する。
【０１５６】
続いて、制御機構２０４２は、ステップ２０５１において、決定された順が最も上位のヒータ２０２１を選択していないヒータ２０２１から追加選択し、選択したヒータ２０２１を増加させる。
【０１５７】
続いて、制御機構２０４２は、ステップ２０５２において、選択したヒータ２０２１を備えるモジュール電池２０１０に対応するヒータ制御機構２０４１にオン信号を送信する。このとき、オン信号を受信したヒータ制御機構２０４１が選択されたヒータ２０２１をオンにするため、合計消費電力Wは選択されたヒータ２０２１の消費電力の分だけ増加する。
【０１５８】
続いて、制御機構２０４２は、ステップ２０５３において、合計必要電力WDtから次に選択するヒータ２０２１の定格消費電力Wmを減じた電力WDt-Wmを合計消費電力Wが超えているか否かを判定する。合計消費電力Wは、電力計２０４３から取得される。次に選択するヒータ２０１４の定格消費電力Wmは、記憶部から読み出される。制御機構２０４２は、合計消費電力Wが電力WDt-Wmを超えているとステップ２０５３において判定した場合は、選択されたヒータ２０２１を更新する処理を終了する。制御機構２０４２は、合計消費電力Wが電力WDt-Wmを超えていないとステップ２０５３において判定した場合は、ステップ２０５１に戻ってステップ２０５１から２０５３までを繰り返す。
【０１５９】
これにより、選択されたヒータ２０２１が更新される場合に、選択されたヒータ２０２１がない状態から選択されたヒータ２０２１がひとつずつ増やされ、合計消費電力Wが電力WDt-Wmを初めて超えるまでヒータ２０２１が決定された順に追加選択される。
【０１６０】
この場合は、合計消費電力Wと合計必要電力WDtとの電力差WDt-Wが0以上Wm未満という基準内になるように複数のヒータ２０２１の全部又は一部が選択される。第１実施形態の場合と同様に、基準が変更されてもよい。
【０１６１】
２．３  一群の測定点
第１実施形態の場合と同様に、複数のモジュール電池の各々が、一群の測定点の各々に対応する個々の温度センサ及び個々のヒータを備えることにより一群の温度センサ及び一群のヒータを備える場合がある。この場合は、複数のモジュール電池の各々が１個の温度の制御の単位になってもよいし一群の温度の制御の単位を有してもよい。
【０１６２】
図１９のブロック図は、図１７のブロック図に示される複数のモジュール電池２０１０、複数の温度測定機構２０４０及び複数のヒータ制御機構２０４１を置き換える複数のモジュール電池２０６０、複数の温度測定機構２０７０及び複数のヒータ制御機構２０７１を示す。
【０１６３】
複数のモジュール電池２０６０の各々が１個の温度の制御の単位になる場合は、図１９に示されるように、複数のモジュール電池２０６０の各々に対応する温度測定機構２０７０及びヒータ制御機構２０７１が備えられる。
【０１６４】
複数の温度測定機構２０７０の各々は、対応するモジュール電池２０６０について、個々の温度センサ２０８０の検出結果から個々の現在の温度を取得することにより一群の現在の温度を取得し、一群の現在の温度を単純平均することにより現在の温度T1a(i)を取得する。一群の現在の温度を加重平均することにより現在の温度T1a(i)が取得されてもよい。
【０１６５】
目標温度T2t(i)は、一群の測定点２０９０の各々に対応する個々の目標温度を得ることにより一群の目標温度を得て一群の目標温度を単純平均又は加重平均することにより得られる。現在の目標温度T1t(i)は、一群の測定点２０９０の各々に対応する個々の現在の目標温度を得ることにより一群の現在の目標温度を得て一群の現在の目標温度を単純平均又は加重平均することにより得られる。
【０１６６】
複数のヒータ制御機構２０７１の各々は、対応するモジュール電池２０６０について、オン信号を制御機構２０４２から受信した場合に一群のヒータ２０８１をオンにし、オフ信号を制御機構２０４２から受信した場合に一群のヒータ２０８１をオフにする。
【０１６７】
図２０のブロック図は、図１７のブロック図に示される複数のモジュール電池２０１０、複数の温度測定機構２０４０及び複数のヒータ制御機構２０４１を置き換える複数のモジュール電池２１００、複数の温度測定機構２１２０及び複数のヒータ制御機構２１２１を示す。
【０１６８】
複数のモジュール電池２１００の各々が一群の温度の制御の単位２１１０を有する場合は、図２０に示されるように、一群の温度の制御の単位２１１０の各々に対応する温度測定機構２１２０及びヒータ制御機構２１２１が備えられる。これにより、複数のモジュール電池２１００の各々に対応する一群の温度測定機構２１２０及び一群のヒータ制御機構２１２１が備えられる。
【０１６９】
複数の温度測定機構２１２０の各々は、図１７に示される複数の温度測定機構２０７０の各々が対応するモジュール電池２０１０について行った処理と同様の処理を、対応する温度の制御の単位２１１０について行う。複数のヒータ制御機構２１２１の各々は、図１７に示される複数のヒータ制御機構２０７１の各々が対応するモジュール電池２０１０について行った処理と同様の処理を、対応する温度の制御の単位２１１０について行う。
【０１７０】
本発明は詳細に示され記述されたが、上記の記述は全ての局面において例示であって限定的ではない。したがって、本発明の範囲からはずれることなく無数の修正及び変形が案出されうると解される。
【符号の説明】
【０１７１】
１０００  電力貯蔵装置
１０１４  上位制御装置
１０３０，１２００，１２５０，２０１０，２０６０，２１００  モジュール電池
１０３２  制御装置
１０４２，１０６３，１２１０，２０２０，２０４４，２０８０  温度センサ
１０４３，１２１１，１２８０，２０２１，２０８１  ヒータ
１０５０，２０００  温度制御系
１０６０，１２２０，１２７０  温度調節器
１０６１，２０４２  制御機構
１０６２，２０４３  電力計
１２６０，２１１０  温度の制御の単位
２０４０，２０７０，２１２０  温度測定機構
２０４１，２０７１，２１２１  ヒータ制御機構
【図１】
2016021270.tif 000009
【図２】
2016021270.tif 000010
【図３】
2016021270.tif 000011
【図４】
2016021270.tif 000012
【図５】
2016021270.tif 000013
【図６】
2016021270.tif 000014
【図７】
2016021270.tif 000015
【図８】
2016021270.tif 000016
【図９】
2016021270.tif 000017
【図１０】
2016021270.tif 000018
【図１１】
2016021270.tif 000019
【図１２】
2016021270.tif 000020
【図１３】
2016021270.tif 000021
【図１４】
2016021270.tif 000022
【図１５】
2016021270.tif 000023
【図１６】
2016021270.tif 000024
【図１７】
2016021270.tif 000025
【図１８】
2016021270.tif 000026
【図１９】
2016021270.tif 000027
【図２０】
2016021270.tif 000028
【国際調査報告】
2016021270.tif 000029
2016021270.tif 000030